(57)【要約】【課題】利便性の向上又は心理的な抵抗の緩和を図ることができるストーマキャップ装着具を提供する。【解決手段】ストーマキャップ装着具１は、キャップ保持部２と、ベルト３と、位置決め構造と、を備える。キャップ保持部２は、ユーザＵ１のストーマＸ１を覆うキャップ１０を保持する。ベルト３は、キャップ保持部２に連結されており、ユーザＵ１に装着される。位置決め構造は、少なくともベルト３が装着される際に、キャップ保持部２の位置決めを行う。【選択図】図１
2020036662.tif 000002
【特許請求の範囲】
【請求項１】
ユーザのストーマを覆うキャップを保持するキャップ保持部と、
前記キャップ保持部に連結されており、前記ユーザに装着されるベルトと、
少なくとも前記ベルトが装着される際に、前記キャップ保持部の位置決めを行う位置決め構造と、を備える、
ストーマキャップ装着具。
【請求項２】
前記位置決め構造は、前記キャップ保持部を前記ユーザに接触させた状態で、前記ベルトとは別に、前記キャップ保持部を前記ユーザに取り付ける構造である、
請求項１に記載のストーマキャップ装着具。
【請求項３】
前記位置決め構造は、前記キャップ保持部を前記ベルトの中間部位に固定する構造である、
請求項１に記載のストーマキャップ装着具。
【請求項４】
前記キャップ保持部と前記キャップとの少なくとも一方は、前記ユーザの指を掛けるための指掛け部を有する、
請求項１〜３のいずれか１項に記載のストーマキャップ装着具。
【請求項５】
前記キャップ保持部と前記キャップとの少なくとも一方における前記ユーザとの接触面は粘着性を有する、
請求項１〜４のいずれか１項に記載のストーマキャップ装着具。
【請求項６】
前記キャップ保持部と前記キャップとの少なくとも一方における前記ユーザとの接触部は、前記ストーマを囲む内側部位と、前記内側部位を囲む外側部位と、を含み、
前記外側部位と前記内側部位との一方は撥水性を有し、他方は吸水性を有する、
請求項１〜５のいずれか１項に記載のストーマキャップ装着具。
【請求項７】
前記ベルトは、少なくとも前記ベルトの長さを変化させる弾性を有する、
請求項１〜６のいずれか１項に記載のストーマキャップ装着具。
【請求項８】
前記ベルトは、互いに取外し可能に結合される第１結合部と第２結合部とを有し、
前記ベルトは、前記第２結合部と前記キャップ保持部との相対的な位置関係を維持する、
請求項１〜７のいずれか１項に記載のストーマキャップ装着具。
【請求項９】
前記ベルトは、取外し可能に結合される一対の結合部と、前記一対の結合部の間を連結する本体部と、を有し、
前記ベルトが装着された状態で、前記一対の結合部は前記ユーザの腹側に位置する、
請求項１〜８のいずれか１項に記載のストーマキャップ装着具。
【発明の詳細な説明】
【技術分野】
【０００１】
本開示は、一般にストーマキャップ装着具に関し、より詳細には、ユーザのストーマを覆うキャップをユーザに装着するためのストーマキャップ装着具に関する。
【背景技術】
【０００２】
特許文献１には、入浴時に、人工肛門に装着されたストーマ装具を被覆するためのキャップが記載されている。
【０００３】
特許文献１に記載のキャップは、鍋蓋形状を有し、底の外側面には、（身体装着用）ベルトに対する係止具が取り付けられている。このキャップは、内側が身体に向くようにして、人工肛門及びストーマ装具を被覆するように身体に装着される。キャップの装着に際しては、ベルトの一端のフックがキャップの係止具に係止され、キャップが身体の定位置に手で保持された状態で、ベルトの他端のフックが、背中をまわされた後、係止具に係止される。
【先行技術文献】
【特許文献】
【０００４】
【特許文献１】登録実用新案第３０２５４３６号公報
【発明の概要】
【発明が解決しようとする課題】
【０００５】
特許文献１に記載のキャップを装着するには、身体の定位置にキャップを手で保持した状態で、ベルトのフックを背中側にまわして係止具に止める必要があるため、ユーザが一人だけで装着することは困難である。したがって、特許文献１に記載の構成では、例えば、補助者の手を借りる必要がある等、利便性の問題又は心理的な抵抗がある。
【０００６】
本開示は、上記事由に鑑みてなされており、利便性の向上又は心理的な抵抗の緩和を図ることができるストーマキャップ装着具を提供することを目的とする。
【課題を解決するための手段】
【０００７】
本開示の一態様に係るストーマキャップ装着具は、キャップ保持部と、ベルトと、位置決め構造と、を備える。前記キャップ保持部は、ユーザのストーマを覆うキャップを保持する。前記ベルトは、前記キャップ保持部に連結されており、前記ユーザに装着される。前記位置決め構造は、少なくとも前記ベルトが装着される際に、前記キャップ保持部の位置決めを行う。
【発明の効果】
【０００８】
本開示によれば、利便性の向上又は心理的な抵抗の緩和を図ることができる、という利点がある。
【図面の簡単な説明】
【０００９】
【図１】図１Ａは、実施形態１に係るストーマキャップ装着具を示す平面図であって、図１Ｂは、同上のストーマキャップ装着具の使用状態を示す概略図である。
【図２】図２Ａは、同上のストーマキャップ装着具の要部を前方から見た斜視図であって、図２Ｂは、同上のストーマキャップ装着具の要部を後方から見た斜視図である。図２Ｃは、図２Ｂの領域Ｚ１の部位について、一部を破断した概略斜視図である。
【図３】図３Ａ〜図３Ｄは、同上のストーマキャップ装着具の装着方法を説明するための概略図である。
【図４】図４Ａ〜図４Ｃは、同上のストーマキャップ装着具における一対の結合部の位置を説明するための概略図である。
【図５】図５Ａ〜図５Ｄは、実施形態１の変形例に係るストーマキャップ装着具の要部を前方から見た斜視図である。
【図６】図６Ａ及び図６Ｂは、実施形態１に係るストーマキャップ装着具にて、ストーマ袋ごとストーマを覆うようにキャップが装着される態様を説明するための概略図である。図６Ｃ及び図６Ｄは、実施形態１に係るストーマキャップ装着具にて、ストーマ装具が取り外された状態でストーマを覆うようにキャップが装着される態様を説明するための概略図である。
【図７】図７Ａは、実施形態２に係るストーマキャップ装着具を示す平面図であって、図７Ｂは、同上のストーマキャップ装着具の使用状態を示す概略図である。
【図８】図８Ａ〜図８Ｄは、同上のストーマキャップ装着具の装着方法を説明するための概略図である。
【発明を実施するための形態】
【００１０】
（実施形態１）
（１）概要
本実施形態に係るストーマキャップ装着具１（以下、単に「装着具１」ともいう）は、図１Ａ及び図１Ｂに示すように、ストーマＸ１を覆うキャップ１０をユーザＵ１に装着するための器具である。すなわち、装着具１は、ストーマＸ１を有するユーザＵ１を対象として使用される器具である。このように、キャップ１０は、キャップ１０単体でユーザＵ１に装着されるのではなく、装着具１を用いてユーザＵ１に装着される。
【００１１】
本実施形態では一例として、ユーザＵ１が入浴又はシャワーを浴びる際に、ストーマＸ１及びその周辺に湯水がかかることを抑制する目的で、キャップ１０を装着する場合を想定する。そのため、キャップ１０は、少なくとも防水性を有し、ストーマＸ１及びその周辺を覆うことで、ストーマＸ１及びその周辺を湯水（水分）から保護する。
【００１２】
本開示でいう「ストーマ」は、手術によって身体に人工的につくられた、便又は尿の出口（排泄口）を意味し、永久的なストーマと、後からストーマを閉じる一時的なストーマとの両方を含む。ストーマＸ１は、ストーマがつくられる部位によって呼び方が異なり、人工肛門及び人工膀胱を含む。より詳細には、ストーマＸ１は、結腸につくられる「コロストミー」、小腸（回腸）につくられる「イレオストミー」、及び尿路につくられる「ウロストミー」の３種類のストーマを含む。身体におけるストーマＸ１の位置は、このようなストーマＸ１の種類によっても異なるし、個人差にもよる。
【００１３】
本実施形態では一例として、コロストミーであるストーマＸ１を覆うようにキャップ１０を装着する場合に使用される装着具１について説明する。ただし、本実施形態に係る装着具１は、コロストミーに限らず、イレオストミー又はウロストミーへのキャップ１０の装着に用いられてもよい。さらに、本実施形態に係る装着具１は、コロストミー、イレオストミー及びウロストミーの２種類以上のストーマＸ１で兼用可能であってもよい。
【００１４】
ところで、ストーマＸ１には、ストーマＸ１から排泄される排泄物（便又は尿）を受け止めるためのストーマ装具Ｘ４（図６Ａ参照）が、取外し可能に装着される。ストーマ装具Ｘ４には、大別して、面板Ｘ２（図６Ａ参照）とストーマ袋Ｘ３（図６Ａ参照）とが一体であるワンピース装具と、面板Ｘ２とストーマ袋Ｘ３とが別体（取り外し可能）であるツーピース装具と、がある。
【００１５】
本実施形態では一例として、ストーマ袋Ｘ３が取り外された状態のツーピースのストーマ装具Ｘ４、つまり面板Ｘ２のみがユーザＵ１に装着された状態で、ストーマ装具Ｘ４（面板Ｘ２）ごとストーマＸ１を覆うように、キャップ１０が装着される場合を想定する。そのため、図３Ａ等においては、ストーマ装具Ｘ４のうち面板Ｘ２のみを図示している。このように、キャップ１０が、ストーマ装具Ｘ４の少なくとも一部ごと、ストーマＸ１を覆うことで、ストーマ装具Ｘ４を外すことなく、つまりストーマ装具Ｘ４を付けたままで、キャップ１０の装着が可能となる。これにより、例えば、上述したようにユーザＵ１が入浴又はシャワーを浴びる際に、キャップ１０を装着することで、ストーマＸ１、ストーマ装具Ｘ４及びその周辺に湯水がかかることが抑制される。したがって、ユーザＵ１は、ストーマ装具Ｘ４を付けたままであっても、ストーマ装具Ｘ４及びその周辺が濡れることを気に掛けずに、気軽に入浴又はシャワーを浴びることが可能になる。
【００１６】
本実施形態に係る装着具１は、図１Ａに示すように、キャップ保持部２と、ベルト３と、位置決め構造４と、を備えている。キャップ保持部２は、キャップ１０を保持する。キャップ１０は、ユーザＵ１のストーマＸ１を覆う。ベルト３は、キャップ保持部２に連結されている。ベルト３は、ユーザＵ１に装着される。位置決め構造４は、少なくともベルト３が装着される際に、キャップ保持部２の位置決めを行う。
【００１７】
キャップ保持部２は、キャップ１０と一体であってもよいし、キャップ１０と別体であってもよい。図１Ａの例では、キャップ保持部２はキャップ１０と一体化されることにより、キャップ１０を保持している。
【００１８】
本実施形態に係る装着具１によれば、位置決め構造４を備えているので、ユーザＵ１がベルト３を装着する際には、位置決め構造４によりキャップ保持部２及びこれに保持されるキャップ１０の位置決めがなされることになる。そのため、ユーザＵ１は、ベルト３を装着する際に、片手でキャップ１０を押さえることが必須ではなく、例えば、両手を使ってベルト３を装着するようなことも可能になる。したがって、ユーザＵ１は、装着具１を用いることで、一人でもキャップ１０の装着を比較的簡単に行うことができる。その結果、本実施形態に係る装着具１によれば、ユーザＵ１は、例えば、補助者の手を借りなくてもキャップ１０を装着することができ、利便性の向上又は心理的な抵抗の緩和を図ることができる。すなわち、ユーザＵ１においては、ストーマＸ１のようにプライバシーに関わる作業について補助者の手を借りることを、不便に感じたり、羞恥心により心理的な抵抗を感じたりする場合がある。本実施形態に係る装着具１によれば、ユーザＵ１は、補助者の手を借りずに一人でも比較的簡単にキャップ１０を装着できるので、利便性の向上を図ったり、心理的な抵抗の緩和を図ったりすることが可能である。
【００１９】
（２）構成
以下に、本実施形態に係る装着具１の構成について、図１Ａ〜図２Ｃを参照して詳しく説明する。
【００２０】
本実施形態では、キャップ１０が装着具１の構成要素に含まれることとする。つまり、本実施形態に係る装着具１は、キャップ１０を構成要素との１つとして備えることとするが、装着具１がキャップ１０を備えることは装着具１に必須の構成ではなく、キャップ１０は装着具１の構成要素に含まれなくてもよい。
【００２１】
装着具１は、上述したように、キャップ保持部２と、ベルト３と、位置決め構造４と、を備えている。本実施形態では、キャップ保持部２は、図２Ａに示すようにキャップ１０と一体化されることで、キャップ１０を保持している。つまり、キャップ保持部２とキャップ１０とは、一体化されているのであって、キャップ保持部２とキャップ１０とは、物理的に分離できない構造である。図２Ａにおいては、キャップ保持部２とキャップ１０との境界線を一点鎖線で示している。
【００２２】
より詳細には、キャップ１０は、底板１０１と、周壁１０２と、を有している。本実施形態では、底板１０１は、角丸四角形状の平板状である。周壁１０２は、底板１０１の外周縁から一方向に突出する。これにより、キャップ１０は、一面が開放された箱状に形成されている。キャップ保持部２は、平面視において周壁１０２と同様の枠状に形成されている。キャップ保持部２は、周壁１０２の先端部（底板１０１とは反対側の端部）に連続している。このように構成されるキャップ保持部２及びキャップ１０は、キャップ１０にてストーマＸ１を覆うように、キャップ保持部２をユーザＵ１の皮膚に接触させた状態でユーザＵ１に装着される。言い換えれば、キャップ保持部２は、キャップ１０とユーザＵ１の皮膚との間に介在することになる。
【００２３】
本実施形態では、一例として、キャップ保持部２とキャップ１０とは、互いに異なる材料からなる樹脂成形品である。これらキャップ保持部２とキャップ１０とは、例えば、二色成形（ダブルモールド）により、一体に形成されている。ここで、ユーザＵ１の皮膚に直接的に接触するキャップ保持部２は、キャップ１０に比較して軟質の材料からなることが好ましい。具体的には、キャップ保持部２は、軟質性樹脂材料からなり、一例として、シリコーンゴム又はウレタンゴム等の弾性を有するエラストマからなる。キャップ１０は、硬質性樹脂材料からなり、一例として、ポリプロピレン、ポリカーボネート、アクリル又はポリエチレンテレフタラート（ＰＥＴ）等からなる。キャップ保持部２及びキャップ１０は、透明であってもよいし、半透明又は非透明であってもよい。
【００２４】
このように、ユーザＵ１の皮膚に直接的に接触するキャップ保持部２が軟質であることで、ユーザＵ１は、キャップ保持部２が当たっても不快に感じにくくなる。さらに、キャップ保持部２が軟質であるので、ユーザＵ１に対するキャップ保持部２の密着性が向上する、という利点もある。つまり、キャップ保持部２が、ユーザＵ１の身体の起伏に追従して弾性変形することで、ユーザＵ１に対するキャップ保持部２の密着性が向上する。これにより、ユーザＵ１の皮膚とキャップ保持部２との間に隙間が生じにくくなり、ユーザＵ１の皮膚とキャップ保持部２との間からの水分（湯水）の浸入が生じにくくなる。
【００２５】
本実施形態では、位置決め構造４は、キャップ保持部２をユーザＵ１に接触させた状態で、ベルト３とは別に、キャップ保持部２をユーザＵ１に取り付ける構造である。すなわち、位置決め構造４は、ベルト３を用いずに、キャップ保持部２をユーザＵ１に仮固定する構造によって実現される。
【００２６】
また、キャップ保持部２とキャップ１０との少なくとも一方におけるユーザＵ１との接触面２１は粘着性を有している。本実施形態では、キャップ保持部２におけるユーザＵ１との接触面２１が粘着性を有している。キャップ保持部２の接触面２１が粘着性を有することで、ユーザＵ１に対するキャップ保持部２の貼り付けが可能である。本実施形態では、このように粘着性を有する接触面２１により、位置決め構造４が実現される。言い換えれば、ユーザＵ１に対して、キャップ保持部２を貼り付けることにより、ベルト３とは別に、キャップ保持部２をユーザＵ１に取り付けることが可能になって、キャップ保持部２の仮固定が可能になる。
【００２７】
さらに、キャップ保持部２の接触面２１が粘着性を有することで、ユーザＵ１に対するキャップ保持部２の密着性が向上する、という利点もある。特に、キャップ保持部２が、その接触面２１にゲル状の粘着剤を有する場合には、粘着剤がユーザＵ１の皮膚の毛穴及びしわを埋めることで、ユーザＵ１に対するキャップ保持部２の密着性が向上する。これにより、ユーザＵ１の皮膚とキャップ保持部２との間に隙間が生じにくくなり、ユーザＵ１の皮膚とキャップ保持部２との間からの水分（湯水）の浸入が生じにくくなる。接触面２１の粘着性は、例えば、接触面２１を洗浄して、接触面２１に付着したホコリ等の異物を除去することにより回復することが好ましい。
【００２８】
キャップ保持部２は、図２Ａ及び図２Ｂに示すように、ベルト３を連結するための第１連結部２０１及び第２連結部２０２を有している。第１連結部２０１には、ベルト３の一端が取り付けられ（図１Ａ参照）、第２連結部２０２には、ベルト３の他端が取り付けられる。第１連結部２０１及び第２連結部２０２は、キャップ保持部２の長手方向の両端面から突出している。第１連結部２０１及び第２連結部２０２の各々は、略Ｃ字状に形成されている。ここで、ベルト３は、第１連結部２０１及び第２連結部２０２の少なくとも一方に対して、取外し可能に取り付けられていることが好ましい。本実施形態では、少なくとも第１連結部２０１に対してはベルト３が取外し可能であって、図２Ａ及び図２Ｂでは、第１連結部２０１からベルト３を取り外した状態を示している。
【００２９】
ベルト３がキャップ保持部２（及びキャップ１０）から取外し可能であれば、ベルト３とキャップ保持部２（及びキャップ１０）とを個別に洗浄し、保管することができる。さらに、ベルト３とキャップ保持部２（及びキャップ１０）との一方のみについて、例えば、損傷又は経年劣化等が生じた場合には、個別に交換することも可能である。
【００３０】
ここにおいて、キャップ保持部２とキャップ１０との少なくとも一方におけるユーザＵ１との接触部は、ストーマＸ１を囲む内側部位２３と、内側部位２３を囲む外側部位２２と、を含むことが好ましい。外側部位２２と内側部位２３との一方は撥水性を有し、他方は吸水性を有する。本実施形態では、外側部位２２が撥水性を有し、内側部位２３は吸水性を有する。本実施形態では、図２Ｃに示すように、キャップ保持部２におけるユーザＵ１との接触部が、内側部位２３と、外側部位２２と、を含んでいる。つまり、キャップ保持部２は二重構造になっており、その内側部位２３が吸水性を有し、外側部位２２が撥水性を有している。図２Ｃは、図２Ｂの領域Ｚ１の部位について、一部を破断した概略斜視図である。
【００３１】
このように、外側部位２２が撥水性を有することで、ユーザＵ１の皮膚とキャップ保持部２との間からの水分（湯水）の浸入が生じにくくなる。また、万一、ユーザＵ１の皮膚とキャップ保持部２との間からの水分が浸入したとしても、この水分は、吸水性を有する内側部位２３に吸収されるため、ストーマＸ１へは到達しにくい。内側部位２３は、外側部位２２を含むキャップ保持部２の本体から取外し可能であってもよく、この場合、内側部位２３が水分を吸収した場合には、乾燥した内側部位２３と交換可能となる。
【００３２】
ベルト３は、少なくともユーザＵ１の胴回りよりもキャップ保持部２の全長（長手方向の全長）分だけ短い程度の長さを有している。そして、ベルト３は、その両端部が第１連結部２０１及び第２連結部２０２に取り付けられることにより、その両端部においてキャップ保持部２に連結されている。これにより、ベルト３がユーザＵ１の胴回りに巻かれるようにしてユーザＵ１に装着されることで、ベルト３に連結されたキャップ保持部２がユーザＵ１に装着されることになる。
【００３３】
ベルト３は、一対の結合部３１，３２と、本体部３０と、を有している。一対の結合部３１，３２は、取外し可能に結合される。本体部３０は、一対の結合部３１，３２の間を連結する。本実施形態では、本体部３０は、キャップ保持部２を介して一対の結合部３１，３２の間を連結している。詳しくは「（３）装着方法」の欄で説明するが、ユーザＵ１にベルト３が装着された状態で、一対の結合部３１，３２はユーザＵ１の腹側に位置する。一対の結合部３１，３２は、一例として、いわゆるワンタッチバックルにて実現される。つまり、一方の結合部３１に他方の結合部３２を差し込むことにより、一対の結合部３１，３２が互いに結合される。さらに、結合部３２を操作することで、一方の結合部３１から他方の結合部３２を外すことができる。
【００３４】
ここで、一対の結合部３１，３２は、第１結合部３１及び第２結合部３２からなる。つまり、ベルト３は、互いに取外し可能に結合される第１結合部３１と第２結合部３２とを有している。そして、ベルト３は、第２結合部３２とキャップ保持部２との相対的な位置関係を維持している。つまり、図１Ａに示すように、第１結合部３１は、本体部３０を介して、キャップ保持部２の第１連結部２０１に対して、間接的に連結されている。一方で、第２結合部３２は、本体部３０を介さずに、キャップ保持部２の第２連結部２０２に対して、直接的に連結されている。そのため、第２結合部３２は、キャップ保持部２に対しては自立した状態にあり、キャップ保持部２に対する第２結合部３２の相対的な位置関係は、図１Ａに示す状態に維持されている。
【００３５】
また、ベルト３は、少なくともベルト３の長さを変化させる弾性を有する。本実施形態では、ベルト３のうち、少なくとも本体部３０が弾性を有している。本体部３０は、一例として、シリコーンゴム又はポリウレタン等の弾性（伸縮性）を有する材料からなる。または、本体部３０は、例えば、ポリエステルにポリウレタンを編み込んだ生地等で実現されてもよい。
【００３６】
このように、ベルト３が、その長さを変化させるような弾性を有することで、ベルト３が伸縮可能となり、ベルト３が装着された状態で、キャップ保持部２がユーザＵ１の身体にフィットしやすくなる。これにより、ユーザＵ１に対するキャップ保持部２の密着性が向上して、ユーザＵ１の皮膚とキャップ保持部２との間に隙間が生じにくくなり、ユーザＵ１の皮膚とキャップ保持部２との間からの水分（湯水）の浸入が生じにくくなる。また、特に、ユーザＵ１の姿勢によって、ユーザＵ１のウエストサイズ（腹囲）が変化するが、ベルト３が伸縮することで、ユーザＵ１が様々な姿勢をとることを妨げにくい、という効果にもつながる。
【００３７】
また、本実施形態では、ベルト３は、長さ調節部３３を更に有している。長さ調節部３３は、一例として、本体部３０のうち第１連結部２０１と第１結合部３１との間に配置されている。長さ調節部３３は、例えば、リュックサックの肩紐の長さ調節に用いられるような、送りカンにて実現される。この長さ調節部３３によれば、本体部３０の長さが調節可能であって、第１連結部２０１から第１結合部３１までの距離（長さ）が調節可能となる。これにより、例えば、ユーザＵ１の体形に合わせて、ベルト３の長さを調節することが可能になって、ユーザＵ１に適したベルト３の締まり具合を実現できる。
【００３８】
（３）装着方法
次に、本実施形態に係る装着具１の装着方法について、図３Ａ〜図３Ｄを参照して説明する。
【００３９】
まず、図３Ａに示すように、ユーザＵ１は、左手で装着具１（キャップ１０を含む）を持つ。このとき、ユーザＵ１は、ユーザＵ１から見て、第２結合部３２がキャップ保持部２の右方に突出するような向きで、キャップ保持部２の接触面２１をユーザＵ１の身体側に向けた状態で、キャップ保持部２及びキャップ１０を持つ。
【００４０】
次に、ユーザＵ１は、図３Ｂに示すように、左腹部にあるストーマＸ１をキャップ１０で覆うように、キャップ保持部２の接触面２１をユーザＵ１の身体に密着させる。このとき、キャップ保持部２に保持されているキャップ１０は、ストーマ袋が取り外された状態のツーピースのストーマ装具Ｘ４（つまり面板Ｘ２）ごと、ストーマＸ１を覆うように、ストーマＸ１に被せられる。ここで、ユーザＵ１の身体に接触するキャップ保持部２の接触面２１は粘着性を有するので、キャップ保持部２がユーザＵ１に対して仮固定される。つまり、キャップ保持部２がユーザＵ１に貼り付けられることで、キャップ保持部２がユーザＵ１に仮固定される。このように、位置決め構造４としての接触面２１が、ユーザＵ１に接触することによって、ベルト３とは別に、キャップ保持部２をユーザＵ１に取り付けることになる。
【００４１】
次に、ユーザＵ１は、図３Ｃに示すように、背後（背側）に回した右手で、ベルト３の第１結合部３１側の端部を持つ。このとき、キャップ保持部２及びキャップ１０からユーザＵ１の左手が離れても、図３Ｂの状態で、キャップ保持部２が仮固定されているので、キャップ保持部２及びキャップ１０がユーザＵ１から脱落しない。この状態において、ユーザＵ１は、ベルト３からキャップ保持部２に作用する力（張力）を抑制するように、左手にてベルト３の本体部３０を持つことが好ましい。
【００４２】
次に、ユーザＵ１は、図３Ｄに示すように、ベルト３の第１結合部３１側の端部を持った右手を前方（腹側）に回し、第１結合部３１と第２結合部３２とを結合する。本実施形態では、上述したように、第１結合部３１及び第２結合部３２はワンタッチバックルであるので、第１結合部３１に第２結合部３２を差し込むことにより、第１結合部３１と第２結合部３２とが互いに結合される。このとき、ユーザＵ１は、ベルト３からキャップ保持部２に作用する力（張力）を抑制するように、左手にてキャップ保持部２又はキャップ１０を押さえることが好ましい。ここで、第２結合部３２とキャップ保持部２との相対的な位置関係がベルト３にて維持されているので、ユーザＵ１は、キャップ保持部２を固定することで、間接的に第２結合部３２を位置固定することができ、一対の結合部３１，３２の結合を簡単に行える。
【００４３】
このように、位置決め構造４としての接触面２１は、少なくともベルト３が装着される際には、キャップ保持部２をユーザＵ１に対して仮固定することで、キャップ保持部２の位置決めを行うことになる。よって、ユーザＵ１は、ベルト３を装着する際に、片手でキャップ１０を押さえることが必須ではなく、例えば、両手を使ってベルト３を装着するようなことも可能になる。したがって、ユーザＵ１は、装着具１を用いることで、一人でもキャップ１０の装着を比較的簡単に行うことができる。その結果、本実施形態に係る装着具１によれば、ユーザＵ１は、例えば、補助者の手を借りなくてもキャップ１０を装着することができ、利便性の向上又は心理的な抵抗の緩和を図ることができる。
【００４４】
以上説明したような手順で、装着具１がユーザＵ１の身体に装着される。ただし、ここで説明した装着具１の装着方法は一例に過ぎず、装着具１は、適宜の装着方法で装着可能である。
【００４５】
ところで、上述したような装着方法によれば、ユーザＵ１にベルト３が装着された状態で、一対の結合部３１，３２はユーザＵ１の腹側に位置する（図４Ｂ参照）。そのため、ユーザＵ１は、ユーザＵ１の身体の前方（腹側）において、一対の結合部３１，３２を結合することができる。したがって、ユーザＵ１は、無理な姿勢をとらずとも自然な姿勢にて、一対の結合部３１，３２を視認しながら、一対の結合部３１，３２を結合する作業、及び一対の結合部３１，３２の結合を解除する作業を行うことができる。したがって、ユーザＵ１にとってベルト３の着脱が比較的簡単になる。
【００４６】
図４Ａは、ユーザＵ１の胴回り（２点鎖線で示す）を上方から見た概念図である。図４Ａにおいて、基準位置Ｐ１０はユーザＵ１の左脇腹の位置に相当し、基準位置Ｐ１１はユーザＵ１の右脇腹の位置に相当する。つまり、図４Ａにおいて、ユーザＵ１の胴回りは、基準位置Ｐ１０，Ｐ１１を境にして、前方を向いた「腹側」と、後方を向いた「背側」と、に二分される。キャップ１０は、左腹部にあるストーマＸ１を覆うので、図４Ａからも明らかなように、ユーザＵ１の腹側（左腹部）に位置する。
【００４７】
図４Ａにおいて、位置Ｐ２は、図３Ａ〜図３Ｄで示した装着方法で装着された場合の、一対の結合部３１，３２の結合位置を示している。つまり、ユーザＵ１から見て、キャップ保持部２の第２連結部２０２の位置Ｐ１よりやや右方となる位置Ｐ２にて、一対の結合部３１，３２が結合される（図４Ｂ参照）。ここで、位置Ｐ２は、ユーザＵ１のへそ付近に位置する。
【００４８】
ただし、ユーザＵ１にベルト３が装着された状態で、一対の結合部３１，３２がユーザＵ１の腹側に位置すればよく、例えば、図４Ｃに示すように、ユーザＵ１のへそよりも右方にずれた位置（右腹部）に一対の結合部３１，３２が位置してもよい。この場合、図４Ａにおいては、位置Ｐ３が、一対の結合部３１，３２の結合位置となる。この場合でも、ユーザＵ１は、比較的簡単にベルト３の着脱を行うことができる。
【００４９】
このように、ユーザＵ１にベルト３が装着された状態で、一対の結合部３１，３２がユーザＵ１の腹側に位置するためには、キャップ保持部２と一対の結合部３１，３２との間の相対的な位置関係が特定の条件を満たす必要がある。一例として、第２結合部３２と第２連結部２０２との間のベルト３（本体部３０）の長さを、第１結合部３１と第１連結部２０１との間のベルト３（本体部３０）の長さで除した値が、０以上０．５未満であることが好ましい。一例として、キャップ保持部２を含むベルト３の全長、つまり一対の結合部３１，３２間の長さが７０ｃｍである場合、第２結合部３２と第２連結部２０２との間のベルト３（本体部３０）の長さは、０ｃｍ以上２０ｃｍ未満であることが好ましい。
【００５０】
（４）変形例
実施形態１に係る装着具１は、本開示の様々な実施形態の一つに過ぎない。実施形態１に係る装着具１は、本開示の目的を達成できれば、設計等に応じて種々の変更が可能である。上記説明で用いた各図は模式的な図であって、図中の各部位の長さ又は大きさの比が必ずしも実際の寸法比を反映しているとは限らない。さらに、各部位の長さ又は大きさの比、及び形状等について、適宜変更が可能である。以下、実施形態１の変形例を列挙する。以下に説明する変形例は、適宜組み合わせて適用可能である。
【００５１】
例えば、図５Ａ〜図５Ｃに示すように、キャップ保持部２とキャップ１０との少なくとも一方は、ユーザＵ１の指を掛けるための指掛け部５を有することが好ましい。図５Ａ〜図５Ｃでは、キャップ保持部２の第１連結部２０１及び第２連結部２０２の図示を省略する。
【００５２】
例えば、図５Ａの例では、キャップ保持部２及びキャップ１０の両方にわたって、指掛け部５としての一対の窪み５１が形成されている。一対の窪み５１は、キャップ保持部２及びキャップ１０の上面及び下面における左右方向の中央部に設けられている。図５Ｂの例では、キャップ１０に、指掛け部５としての複数（ここでは３つ）の窪み５２が形成されている。複数の窪み５２は、キャップ１０の上面に、左右方向に並べて配置されている。図５Ｃの例では、キャップ保持部２に、指掛け部５としての窪み５３が形成されている。窪み５３は、キャップ保持部２の全周にわたって設けられている。
【００５３】
これらの窪み５１，５２，５３は、ユーザＵ１の指（手指）を掛けるための指掛け部５として機能する。これにより、ユーザＵ１は、片手であってもキャップ保持部２及びキャップ１０を掴みやすく、例えば、キャップ保持部２をユーザＵ１の身体に仮固定する作業が比較的簡単になる。
【００５４】
また、別の変形例として、キャップ保持部２Ａは、図５Ｄに示すように、キャップ１０Ａと別体であってもよい。図５Ｄの例では、キャップ保持部２Ａは、キャップ１０Ａよりも一回り大きい枠状に形成されている。キャップ保持部２Ａは、キャップ１０Ａの外周部に重なるように、キャップ１０Ａに対して前方から組み合わされることにより、キャップ１０Ａを保持する。言い換えれば、キャップ１０Ａが、キャップ保持部２Ａの開口に後方から挿入されることにより、キャップ保持部２Ａに保持される。
【００５５】
また、キャップ１０の装着態様は、実施形態１のように、ストーマ袋Ｘ３が取り外された状態のツーピースのストーマ装具Ｘ４、つまり面板Ｘ２のみがユーザＵ１に装着された状態で、キャップ１０が装着される態様に限らない。例えば、図６Ａ及び図６Ｂに示すように、ストーマ袋Ｘ３が装着された状態のツーピースのストーマ装具Ｘ４、又はワンピースのストーマ装具Ｘ４ごと、ストーマＸ１を覆うようにキャップ１０が装着されてもよい。この場合、ストーマ袋Ｘ３を含むストーマ装具Ｘ４の全体（面板Ｘ２及びストーマ袋Ｘ３）が、キャップ１０内に収まるように、必要に応じてストーマ袋Ｘ３の一部を折り曲げた状態で、キャップ１０がユーザＵ１に装着される。この場合、キャップ１０が、ストーマ装具Ｘ４ごとストーマＸ１を覆うことで、ストーマ装具Ｘ４を外すことなく、つまりストーマ装具Ｘ４を付けたままで、キャップ１０の装着が可能となる。あるいは、図６Ｃ及び図６Ｄに示すように、ストーマ装具Ｘ４が取り外された状態で、ストーマＸ１を覆うようにキャップ１０が装着されてもよい。この場合、キャップ１０は、ストーマＸ１のみを覆えばよいので、キャップ１０の小型化を図ることも可能となる。
【００５６】
また、ベルト３は、ユーザＵ１の胴回りに複数回巻き付けられることにより、ユーザＵ１に装着される構成であってもよい。さらに、ベルト３は、ユーザＵ１の肩又は首等に引っ掛けるサスペンダ部を有していてもよく、この場合、ベルト３がずり落ちることを抑制できる。
【００５７】
また、装着具１及びキャップ１０は、ユーザＵ１が入浴又はシャワーを浴びる際に限らず、例えば、ユーザＵ１の屋外での作業時又は運動時等において用いられてもよい。この場合、装着具１及びキャップ１０に要求される性能として防水性は必須ではなく、例えば、装着具１及びキャップ１０が防塵性のような性質を有していてもよい。
【００５８】
また、キャップ保持部２及びキャップ１０の材質は、実施形態１で説明した例に限らず、例えば、キャップ保持部２とキャップ１０とは、同一の材料にて形成されていてもよい。さらに、キャップ１０の形状は、実施形態１で説明した例に限らず、例えば、ドーム状、中空の半球状、円柱状又は半円柱状等であってもよい。
【００５９】
また、位置決め構造４は、キャップ保持部２をユーザＵ１に仮固定する構造であればよく、キャップ保持部２をユーザＵ１に仮固定するための手段は粘着に限らず、例えば、吸着等であってもよい。つまり、キャップ保持部２は、吸盤のように、キャップ１０とユーザＵ１の身体との間の空間の気圧を下げることで、ユーザＵ１に仮固定されてもよい。さらに、キャップ保持部２をユーザＵ１に仮固定するための手段は、粘着と吸着との組み合わせであってもよい。
【００６０】
また、一対の結合部３１，３２は、ワンタッチバックルに限らず、例えば、ピン式バックル、リング式バックル又は面ファスナ等の、適宜の結合構造により実現されてもよい。
【００６１】
また、実施形態１では、外側部位２２と内側部位２３とのうち、外側部位２２が撥水性を有し、内側部位２３が吸水性を有する構成を例示したが、この構成に限らず、外側部位２２と内側部位２３とのうちの一方が撥水性を有し、他方が吸水性を有していればよい。つまり、例えば、外側部位２２と内側部位２３とのうち、内側部位２３が撥水性を有し、外側部位２２が吸水性を有していてもよい。さらに、キャップ保持部２とキャップ１０との少なくとも一方におけるユーザＵ１との接触部は、内側部位２３と、外側部位２２と、を含む複層構造であればよく、例えば、内側から順に、内側部位２３、外側部位２２、最外側部位の三層構造であってもよい。この場合に、一例として、内側部位２３及び最外側部位が撥水性を有し、外側部位２２が吸水性を有していてもよい。
【００６２】
（実施形態２）
本実施形態に係るストーマキャップ装着具１Ｂ（以下、単に「装着具１Ｂ」ともいう）は、図７Ａ及び図７Ｂに示すように、位置決め構造４Ｂの構成が、実施形態１に係るストーマキャップ装着具１とは相違する。以下、実施形態１と同様の構成については、共通の符号を付して適宜説明を省略する。
【００６３】
本実施形態では、位置決め構造４Ｂは、キャップ保持部２Ｂをベルト３の中間部位に固定する構造である。本開示でいう「中間」は、２つの位置の間を意味しており、特に「真ん中」には限らない。そのため、ベルト３の中間部位とは、ベルト３の両端（一対の結合部３１，３２）の間の部位を全て含む意味である。
【００６４】
具体的には、ベルト３の本体部３０の一部がキャップ保持部２Ｂと一体化されている。本体部３０は、キャップ保持部２Ｂが設けられた部位が、他の部位に比べて幅広に形成されている。この幅広に形成された部位が、位置決め構造４Ｂとして、キャップ保持部２Ｂと一体化されている。言い換えれば、ベルト３の中間位置に設けられた位置決め構造４Ｂは、キャップ保持部２Ｂと一体化されることにより、キャップ保持部２Ｂをベルト３の中間部位に固定する。
【００６５】
本実施形態では、ベルト３は、例えば、接着又は溶着等によりキャップ保持部２Ｂと一体化されることで、キャップ保持部２Ｂと連結されている。つまり、ベルト３とキャップ保持部２Ｂとは、一体化されているのであって、ベルト３とキャップ保持部２Ｂとは、物理的に分離できない構造である。ここで、第２結合部３２とキャップ保持部２Ｂとの相対的な位置関係がベルト３にて維持されるように、少なくとも第２結合部３２とキャップ保持部２Ｂとの間の本体部３０はある程度の剛性を有することが好ましい。また、本実施形態では、キャップ保持部２Ｂにおける接触面２１は、粘着性を有していない。
【００６６】
さらに、本実施形態では、ベルト３は、一対の長さ調節部３３を有している。一方の長さ調節部３３は、本体部３０のうちキャップ保持部２Ｂと第１結合部３１との間に配置され、他方の長さ調節部３３は、本体部３０のうちキャップ保持部２Ｂと第２結合部３２との間に配置されている。これにより、一対の長さ調節部３３では、キャップ保持部２Ｂから第１結合部３１及び第２結合部３２までの距離（長さ）を個別に調節可能になる。よって、キャップ保持部２Ｂと一対の結合部３１，３２との間の相対的な位置関係が任意に調節可能となる。
【００６７】
次に、本実施形態に係る装着具１Ｂの装着方法について、図８Ａ〜図８Ｄを参照して説明する。
【００６８】
まず、図８Ａに示すように、ユーザＵ１は、両手で装着具１Ｂ（キャップ１０を含む）を持つ。このとき、ユーザＵ１は、ベルト３を背後（背側）に通した状態で、右手で第１結合部３１を持ち、左手で第２結合部３２を持つ。
【００６９】
次に、ユーザＵ１は、図８Ｂに示すように、前方（腹側）を通して、第２結合部３２を持った左手を、ユーザＵ１から見て右方に移動させる。このとき、ユーザＵ１は、キャップ保持部２Ｂの接触面２１をユーザＵ１の身体側に向けた状態で、両手でベルト３を持つ。
【００７０】
次に、ユーザＵ１は、図８Ｃに示すように、両手でベルト３を持ったまま、左腹部にあるストーマＸ１をキャップ１０で覆うように、キャップ保持部２Ｂの接触面２１をユーザＵ１の身体に接触させる。このとき、キャップ保持部２Ｂに保持されているキャップ１０は、ストーマ袋が取り外された状態のツーピースのストーマ装具Ｘ４（つまり面板Ｘ２）ごと、ストーマＸ１を覆うように、ストーマＸ１に被せられる。このように、位置決め構造４Ｂとしてのベルト３（本体部３０）の一部が、キャップ保持部２Ｂをベルト３の中間部位に固定していることで、ベルト３の装着に付随して、キャップ保持部２Ｂ及びキャップ１０がユーザＵ１に装着されることになる。ここで、第２結合部３２とキャップ保持部２Ｂとの相対的な位置関係がベルト３にて維持されているので、ユーザＵ１は、第２結合部３２を持つことで、間接的にキャップ保持部２Ｂを位置固定することができる。
【００７１】
次に、ユーザＵ１は、図８Ｄに示すように、ベルト３の第２結合部３２を持った左手をユーザＵ１から見て右方に更に移動させ、第１結合部３１と第２結合部３２とを結合する。このとき、ユーザＵ１は、ある程度の張力をかけてベルト３を締め付けることで、キャップ保持部２ＢがユーザＵ１の身体に押し付けられて密着する。
【００７２】
このように、位置決め構造４Ｂは、キャップ保持部２Ｂをベルト３の中間部位に固定することで、少なくともベルト３が装着される際には、キャップ保持部２Ｂの位置決めを行うことになる。よって、ユーザＵ１は、ベルト３を装着する際に、片手でキャップ１０を押さえることが必須ではなく、例えば、両手を使ってベルト３を装着するようなことも可能になる。したがって、ユーザＵ１は、装着具１Ｂを用いることで、一人でもキャップ１０の装着を比較的簡単に行うことができる。その結果、本実施形態に係る装着具１Ｂによれば、ユーザＵ１は、例えば、補助者の手を借りなくてもキャップ１０を装着することができ、利便性の向上又は心理的な抵抗の緩和を図ることができる。
【００７３】
以上説明したような手順で、装着具１ＢがユーザＵ１の身体に装着される。ただし、ここで説明した装着具１Ｂの装着方法は一例に過ぎず、装着具１Ｂは、適宜の装着方法で装着可能である。
【００７４】
また、本実施形態において、キャップ保持部２Ｂの接触面２１が粘着性を有していてもよい。
【００７５】
実施形態２で説明した種々の構成（変形例を含む）は、実施形態１で説明した種々の構成（変形例を含む）と適宜組み合わせて採用可能である。
【００７６】
（まとめ）
第１の態様に係るストーマキャップ装着具（１，１Ｂ）は、キャップ保持部（２，２Ａ，２Ｂ）と、ベルト（３）と、位置決め構造（４，４Ｂ）と、を備える。キャップ保持部（２，２Ａ，２Ｂ）は、ユーザ（Ｕ１）のストーマ（Ｘ１）を覆うキャップ（１０，１０Ａ）を保持する。ベルト（３）は、キャップ保持部（２，２Ａ，２Ｂ）に連結されており、ユーザ（Ｕ１）に装着される。位置決め構造（４，４Ｂ）は、少なくともベルト（３）が装着される際に、キャップ保持部（２，２Ａ，２Ｂ）の位置決めを行う。
【００７７】
この態様によれば、ユーザ（Ｕ１）は、ストーマキャップ装着具（１，１Ｂ）を用いることで、一人でもキャップ（１０，１０Ａ）の装着を比較的簡単に行うことができる。その結果、ストーマキャップ装着具（１，１Ｂ）によれば、ユーザ（Ｕ１）は、例えば、補助者の手を借りなくてもキャップ（１０，１０Ａ）を装着することができ、利便性の向上又は心理的な抵抗の緩和を図ることができる。
【００７８】
第２の態様に係るストーマキャップ装着具（１，１Ｂ）では、第１の態様において、位置決め構造（４，４Ｂ）は、キャップ保持部（２，２Ａ，２Ｂ）をユーザ（Ｕ１）に接触させた状態で、ベルト（３）とは別に、キャップ保持部（２，２Ａ，２Ｂ）をユーザ（Ｕ１）に取り付ける構造である。
【００７９】
この態様によれば、先にキャップ保持部（２，２Ａ，２Ｂ）をユーザ（Ｕ１）に仮固定してから、ベルト（３）を装着できる。
【００８０】
第３の態様に係るストーマキャップ装着具（１，１Ｂ）では、第１の態様において、位置決め構造（４，４Ｂ）は、キャップ保持部（２，２Ａ，２Ｂ）をベルト（３）の中間部位に固定する構造である。
【００８１】
この態様によれば、ベルト（３）をユーザ（Ｕ１）に装着するだけで、キャップ保持部（２，２Ａ，２Ｂ）も自然と装着される。
【００８２】
第４の態様に係るストーマキャップ装着具（１，１Ｂ）では、第１〜３のいずれかの態様において、キャップ保持部（２，２Ａ，２Ｂ）とキャップ（１０，１０Ａ）との少なくとも一方は、ユーザ（Ｕ１）の指を掛けるための指掛け部（５）を有する。
【００８３】
この態様によれば、ユーザ（Ｕ１）は、指掛け部（５）に指を掛けることで、キャップ保持部（２，２Ａ，２Ｂ）とキャップ（１０，１０Ａ）との少なくとも一方を持ちやすくなる。
【００８４】
第５の態様に係るストーマキャップ装着具（１，１Ｂ）では、第１〜４のいずれかの態様において、キャップ保持部（２，２Ａ，２Ｂ）とキャップ（１０，１０Ａ）との少なくとも一方におけるユーザ（Ｕ１）との接触面（２１）は粘着性を有する。
【００８５】
この態様によれば、ユーザ（Ｕ１）に対するキャップ保持部（２，２Ａ，２Ｂ）の密着性が向上する。
【００８６】
第６の態様に係るストーマキャップ装着具（１，１Ｂ）では、第１〜５のいずれかの態様において、キャップ保持部（２，２Ａ，２Ｂ）とキャップ（１０，１０Ａ）との少なくとも一方におけるユーザ（Ｕ１）との接触部は、内側部位（２３）と、外側部位（２２）と、を含む。内側部位（２３）はストーマ（Ｘ１）を囲み、外側部位（２２）は内側部位（２３）を囲む。外側部位（２２）と内側部位（２３）との一方は撥水性を有し、他方は吸水性を有する。
【００８７】
この態様によれば、ストーマ（Ｘ１）及びその周辺部位への水分の浸入が生じにくくなる。
【００８８】
第７の態様に係るストーマキャップ装着具（１，１Ｂ）では、第１〜６のいずれかの態様において、ベルト（３）は、少なくともベルト（３）の長さを変化させる弾性を有する。
【００８９】
この態様によれば、ベルト（３）が装着された状態で、キャップ保持部（２，２Ａ，２Ｂ）又はキャップ（１０，１０Ａ）がユーザ（Ｕ１）の身体にフィットしやすくなる。
【００９０】
第８の態様に係るストーマキャップ装着具（１，１Ｂ）では、第１〜７のいずれかの態様において、ベルト（３）は、互いに取外し可能に結合される第１結合部（３１）と第２結合部（３２）とを有する。ベルト（３）は、第２結合部（３２）とキャップ保持部（２，２Ａ，２Ｂ）との相対的な位置関係を維持する。
【００９１】
この態様によれば、ユーザ（Ｕ１）は、キャップ保持部（２，２Ａ，２Ｂ）を固定することで、間接的に第２結合部（３２）を位置固定することができ、第１結合部（３１）と第２結合部（３２）との結合を簡単に行える。
【００９２】
第９の態様に係るストーマキャップ装着具（１，１Ｂ）では、第１〜８のいずれかの態様において、ベルト（３）は、取外し可能に結合される一対の結合部（３１，３２）と、一対の結合部（３１，３２）の間を連結する本体部（３０）と、を有する。ベルト（３）が装着された状態で、一対の結合部（３１，３２）はユーザ（Ｕ１）の腹側に位置する。
【００９３】
この態様によれば、ユーザ（Ｕ１）にとってベルト（３）の着脱が比較的簡単になる。
【００９４】
第２〜９の態様に係る構成については、ストーマキャップ装着具（１，１Ｂ）に必須の構成ではなく、適宜省略可能である。
【符号の説明】
【００９５】
１，１Ｂ  ストーマキャップ装着具
２，２Ａ，２Ｂ  キャップ保持部
４，４Ｂ  位置決め構造
５  指掛け部
１０，１０Ａ  キャップ
２１  接触面
２２  外側部位
２３  内側部位
３０  本体部
３１  第１結合部
３２  第２結合部
Ｕ１  ユーザ
Ｘ１  ストーマ
【図１】
2020036662.tif 000003
【図２】
2020036662.tif 000004
【図３】
2020036662.tif 000005
【図４】
2020036662.tif 000006
【図５】
2020036662.tif 000007
【図６】
2020036662.tif 000008
【図７】
2020036662.tif 000009
【図８】
2020036662.tif 000010
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
ユーザのストーマを覆うキャップを保持するキャップ保持部と、
前記キャップ保持部に連結されており、前記ユーザに装着されるベルトと、
少なくとも前記ベルトが装着される際に、前記キャップ保持部を前記ユーザの身体に接触させた状態で、粘着と吸着との少なくとも一方の手段で前記ユーザの身体に対する前記キャップ保持部の位置決めを行うことで前記ユーザの身体に前記キャップ保持部を仮固定する位置決め構造と、を備える、
ストーマキャップ装着具。
【請求項２】
前記位置決め構造は、前記キャップ保持部を前記ユーザに接触させた状態で、前記ベルトとは別に、前記キャップ保持部を前記ユーザに取り付ける構造である、
請求項１に記載のストーマキャップ装着具。
【請求項３】
前記位置決め構造は、前記キャップ保持部を前記ベルトの中間部位に固定する構造である、
請求項１に記載のストーマキャップ装着具。
【請求項４】
前記キャップ保持部と前記キャップとの少なくとも一方は、前記ユーザの指を掛けるための指掛け部を有する、
請求項１〜３のいずれか１項に記載のストーマキャップ装着具。
【請求項５】
前記キャップ保持部と前記キャップとの少なくとも一方における前記ユーザとの接触部は、前記ストーマを囲む内側部位と、前記内側部位を囲む外側部位と、を含み、
前記外側部位と前記内側部位との一方は撥水性を有し、他方は吸水性を有する、
請求項１〜４のいずれか１項に記載のストーマキャップ装着具。
【請求項６】
前記ベルトは、少なくとも前記ベルトの長さを変化させる弾性を有する、
請求項１〜５のいずれか１項に記載のストーマキャップ装着具。
【請求項７】
前記ベルトは、互いに取外し可能に結合される第１結合部と第２結合部とを有し、
前記ベルトは、前記第２結合部と前記キャップ保持部との相対的な位置関係を維持する、
請求項１〜６のいずれか１項に記載のストーマキャップ装着具。
【請求項８】
前記ベルトは、取外し可能に結合される一対の結合部と、前記一対の結合部の間を連結する本体部と、を有し、
前記ベルトが装着された状態で、前記一対の結合部は前記ユーザの腹側に位置する、
請求項１〜７のいずれか１項に記載のストーマキャップ装着具。
【手続補正２】
【補正対象書類名】明細書
【補正対象項目名】０００７
【補正方法】変更
【補正の内容】
【０００７】
本開示の一態様に係るストーマキャップ装着具は、キャップ保持部と、ベルトと、位置決め構造と、を備える。前記キャップ保持部は、ユーザのストーマを覆うキャップを保持する。前記ベルトは、前記キャップ保持部に連結されており、前記ユーザに装着される。前記位置決め構造は、少なくとも前記ベルトが装着される際に、前記キャップ保持部を前記ユーザの身体に接触させた状態で、粘着と吸着との少なくとも一方の手段で前記ユーザの身体に対する前記キャップ保持部の位置決めを行うことで前記ユーザの身体に前記キャップ保持部を仮固定する。
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
ユーザのストーマを覆うキャップを保持するキャップ保持部と、
前記キャップ保持部に連結されており、前記ユーザに装着されるベルトと、
少なくとも前記ベルトが装着される際に、前記キャップ保持部を前記ユーザの身体に接触させた状態で、粘着と吸着との少なくとも一方の手段で前記ユーザの身体に対する前記キャップ保持部の位置決めを行うことで前記ユーザの身体に前記キャップ保持部を仮固定する位置決め構造と、を備え、
前記粘着と吸着との少なくとも一方の手段は、前記ユーザとの接触面に設けられる、
ストーマキャップ装着具。
【請求項２】
前記位置決め構造は、前記キャップ保持部を前記ユーザに接触させた状態で、前記ベルトとは別に、前記キャップ保持部を前記ユーザに取り付ける構造である、
請求項１に記載のストーマキャップ装着具。
【請求項３】
前記位置決め構造は、前記キャップ保持部を前記ベルトの中間部位に固定する構造である、
請求項１に記載のストーマキャップ装着具。
【請求項４】
前記キャップ保持部と前記キャップとの少なくとも一方は、前記ユーザの指を掛けるための指掛け部を有する、
請求項１〜３のいずれか１項に記載のストーマキャップ装着具。
【請求項５】
前記キャップ保持部と前記キャップとの少なくとも一方における前記ユーザとの接触部は、前記ストーマを囲む内側部位と、前記内側部位を囲む外側部位と、を含み、
前記外側部位と前記内側部位との一方は撥水性を有し、他方は吸水性を有する、
請求項１〜４のいずれか１項に記載のストーマキャップ装着具。
【請求項６】
前記ベルトは、少なくとも前記ベルトの長さを変化させる弾性を有する、
請求項１〜５のいずれか１項に記載のストーマキャップ装着具。
【請求項７】
前記ベルトは、互いに取外し可能に結合される第１結合部と第２結合部とを有し、
前記ベルトは、前記第２結合部と前記キャップ保持部との相対的な位置関係を維持する、
請求項１〜６のいずれか１項に記載のストーマキャップ装着具。
【請求項８】
前記ベルトは、取外し可能に結合される一対の結合部と、前記一対の結合部の間を連結する本体部と、を有し、
前記ベルトが装着された状態で、前記一対の結合部は前記ユーザの腹側に位置する、
請求項１〜７のいずれか１項に記載のストーマキャップ装着具。
【手続補正２】
【補正対象書類名】明細書
【補正対象項目名】０００７
【補正方法】変更
【補正の内容】
【０００７】
本開示の一態様に係るストーマキャップ装着具は、キャップ保持部と、ベルトと、位置決め構造と、を備える。前記キャップ保持部は、ユーザのストーマを覆うキャップを保持する。前記ベルトは、前記キャップ保持部に連結されており、前記ユーザに装着される。前記位置決め構造は、少なくとも前記ベルトが装着される際に、前記キャップ保持部を前記ユーザの身体に接触させた状態で、粘着と吸着との少なくとも一方の手段で前記ユーザの身体に対する前記キャップ保持部の位置決めを行うことで前記ユーザの身体に前記キャップ保持部を仮固定する。前記粘着と吸着との少なくとも一方の手段は、前記ユーザとの接触面に設けられる。